Podtech/llm-jp-corpus-v4-ja_patent huggingface dataset:
(57)【要約】【課題】  指サック様袋型めがね拭き（クリーナー）（実用新案登録出願中。２００６年３月３日出願。）は、第一指と第二指の二つのピースを同時に使用することで、有効活用できるが、ピースに分かれているため、片方が無くなったとか、見つからないということがおこりやすい。又、めがね拭きはめがねケースに入れていることが多いが、めがねケース自体を携帯することは少ない。そのため、清掃が必要となったとき、適した素材であるめがね拭きを使えないことも多い。【解決手段】  指サック様袋型めがね拭き（クリーナー）（実用新案登録出願中。２００６年３月３日出願。）を第一指と第二指と二つ使用するとき、２つのものを紐等で結ぶことで、動きの制限もせず、かつ紛失の恐れをなくす。不使用時には、携帯電話にぶら下げておくことで、装飾性と、すぐに使える利便性を持たせる。【選択図】図２
0003125188.tif 000002
【実用新案登録請求の範囲】
【請求項１】
指サック様袋型めがね拭き（クリーナー）の第一指用と第二指用の二つを、紐又は布で連結する。
【請求項２】
連結した二つの指サック様袋型めがね拭き（クリーナー）を、携帯ストラップに連結にするか、又は、携帯ストラップとして使用する。
【考案の詳細な説明】
【技術分野】
【０００１】本考案は、一般家庭のめがね拭き（クリーナー）に関する。
【背景技術】
【０００２】指サック様袋型めがね拭きは、形が小さく、そのままでは、片方が見つからないという状態になりやすい。又従来型の平布のめがね拭きは、めがねケースの中に入れていることが多く、めがねを清掃しようとして使いたい時にすぐに使えないことが多い。
【考案の開示】
【考案が解決しようとする課題】
【０００３】  めがねレンズを清掃するめがね拭き（クリーナー）は、形が平布であり、特に極細繊維や超極細繊維を使用した特殊生地は、すべりやすく、老人や握力が弱い人、子供には、拭き辛い。それを解決するものとして、指サック様袋型めがね拭き（クリーナー）を考案した（実用新案登録出願中。２００６年３月３日出願。）。これは、第一指用と第二指用（又は第三指用）の二つを一緒に使用しなければ、有効に活用できない。しかしこの二つがばらばらであれば、片方がなくて使えないという事態に陥りやすい。めがね拭きは、普段、めがねケースの中にいれてあるため、めがねケースを携帯していない場面では、めがね拭きを使いたくても使えないことになることが多い。ちり紙等でめがね拭きを代用することが多いが、レンズに傷をつけやすいため、めがね拭きに適した清掃用生地を使用することが望ましい。そこで、めがね拭きを、扱いやすく拭きやすい形にして提供し、常に身近で使用できるようにする。又、携帯電話等につけて、常時携帯することができるようにする。
【課題を解決するための手段】
【０００４】  指サック様袋型めがね拭き（クリーナー）（実用新案登録出願中。２００６年３月３日出願。）が、すぐに使えるように、又失くさないように、２つの指サック様袋型めがね拭き（クリーナー）を紐又は布で連結する。【０００５】  連結した指サック様袋型めがね拭き（クリーナー）（実用新案登録出願中。２００６年３月３日出願。）を、常時携帯できるように、携帯電話等のストラップにつけられるようにする。
【考案の効果】
【０００６】  指サック様袋型めがね拭き（クリーナー）（実用新案登録出願中。２００６年３月３日出願。）は、老人、子供、握力が弱い人や、手の巧緻機能障害のある人でも、指に嵌めることで、たやすく使えるめがね拭きである。第一指と第二指に嵌めるめがね拭きを、紐又は布で連結することにより、同時に使うことができ、失くさないようにすることができる。又、常時携帯する携帯電話等にストラップ等で接続することにより、常時携帯することが可能である。
【考案を実施するための最良の形態】
【０００７】指サック様袋型めがね拭き（クリーナー）（実用新案登録出願中。２００６年３月３日出願。）を二つ、紐又は布で連結する。このとき、連結する紐又は布は、長さ７ｃｍから１０ｃｍくらいの、第一指と第二指の動きを制限しない長さとする。紐又は布の形状および素材は、どんなものでもよいが、めがねを傷つける可能性があるものを避ける。連結する紐又は布を、それぞれの指サック様袋型めがね拭き（クリーナー）に縫い付けるか、外れないように留める。【０００８】連結した指サック様袋型めがね拭き（クリーナー）（実用新案登録出願中。２００６年３月３日出願。）を携帯電話等のストラップに連結できる形にする。指サック様袋型めがね拭き（クリーナー）を連結した紐又は布を、連結器具を用いて細い紐につなぎ、携帯電話ストラップとなるようにする。
【実施例】
【０００９】１は指サック様袋型めがね拭き（クリーナー）（実用新案登録出願中。２００６年３月３日出願。）２は、連結用紐（又は布）。【００１０】１は指サック様袋型めがね拭き（クリーナー）（実用新案登録出願中。２００６年３月３日出願。）２は、連結用紐（又は布）。３は、携帯電話につなぐストラップ。
【図面の簡単な説明】
【００１１】
【図１】本考案の指サック様袋型めがね拭き（クリーナー）（実用新案登録出願中。２００６年３月３日出願。）の連結実施例を示す正面図である。
【図２】本考案の指サック様袋型めがね拭き（クリーナー）（実用新案登録出願中。２００６年３月３日出願。）を携帯ストラップにした正面図である。
【符号の説明】
【００１２】  １  指サック様袋型めがね拭き（クリーナー）
２  連結用紐
３  携帯ストラップ
【図１】
0003125188.tif 000003
【図２】
0003125188.tif 000004
【手続補正書】
【提出日】平成18年6月19日(2006.6.19)
【手続補正１】
【補正対象書類名】実用新案登録請求の範囲
【補正対象項目名】全文
【補正方法】変更
【補正の内容】
【実用新案登録請求の範囲】
【請求項１】
第一指用指サックと、第二指用若しくは第三指用指サックとの間を、紐または布を用いて連結されたことを特徴とする指サック様袋型めがね拭き。
【請求項２】
前記第一指用指サックと、前記第二指用若しくは前記第三指用指サックとの間を連結する前記紐または前記布が、携帯ストラップに連結される、或いは、前記紐または前記布自体が携帯ストラップとして用いられることを特徴とする請求項１に記載の指サック様袋型めがね拭き。
(57)【要約】【課題】  プリンターの予備のインクが必要なときに、買い置きしておいた予備のインクが見つからないことが多い。【解決手段】  プリンター本体に、予備インク用の格納庫を設置する。【選択図】図２
0003125196.tif 000002
【実用新案登録請求の範囲】
【請求項１】
プリンターに予備のインクを保持させることを目的とする、プリンターの予備インク用格納庫
【考案の詳細な説明】
【技術分野】
【０００１】  本考案は、プリンターに関するものである。
【背景技術】
【０００２】  プリンターのインク残量は把握することが困難であり、常時、予備のインクを買い置きするのが一般的である。
【考案の開示】
【考案が解決しようとする課題】
【０００３】  インクが必要なときに、買い置きしておいた予備のインクが見つからないことが多い。
【課題を解決するための手段】
【０００４】  プリンター本体に、予備インク用の格納庫を設置する。
【考案の効果】
【０００５】  プリンター本体に予備インクが格納せれている為、必要なときに、直ぐ使える。
【考案を実施するための最良の形態】
【０００６】  予備インク用格納庫は、プリンターの外部にポケット状に設置するのが望ましい。
【図面の簡単な説明】
【０００７】
【図１】  平面図
【図２】  側面図
【符号の説明】
【０００８】１  プリンター本体
２  予備インク用格納庫
【図１】
0003125196.tif 000003
【図２】
0003125196.tif 000004
【手続補正書】
【提出日】平成18年6月12日(2006.6.12)
【手続補正１】
【補正対象書類名】実用新案登録請求の範囲
【補正対象項目名】請求項１
【補正方法】変更
【補正の内容】
【請求項１】
予備のインクを保持させることを目的とする格納庫を備えたプリンター。
(57)【要約】      （修正有）【課題】背骨の曲がりは、生活習慣でなったもので、一時的に解決しても、生活習慣が変わらなければ、又同じ状態になる。毎日の生活習慣の中に取り入れらるもので、背骨矯正、腰痛防止の中敷マットを提供する。【解決手段】本考案の胸椎（２）、胸椎肋骨部分を高くした中敷マットに、仰向けに寝たときに、胸椎との段差により、胸椎より上は、頭部（６）の重さで頚椎が後ろに曲げられる。胸椎より下は、腰部（８）の重さにより、腰椎部分に曲げの力が働き、背骨の矯正をする。又腰部仙骨（５）に体重が集中するのを、胸椎、胸椎肋骨部分を高くする事により、重心が胸椎に移動し、仙骨にかかる曲げの圧力を軽減して、腰痛の軽減、防止をする。【選択図】図７
0003125191.tif 000002
【実用新案登録請求の範囲】
【請求項１】
胸椎（２）、胸椎の肋骨部分を、高くした中敷きマット図３で、仰向けに寝たときに、胸椎より上の頚椎（１）は、胸椎との段差に頭部（６）の重さで、頚椎を矯正。、胸椎以下の段差で、曲がった背骨を、腰部（８）の重さにより、背骨の矯正をする。又腰部仙骨（５）に体重が集中するのを、胸椎部分を高くする事により、重心が胸椎に移動し、仙骨にかかる曲げの圧力を軽減して、腰痛を防止する。胸椎（２）胸椎の肋骨部分を、高くした中敷きマット図３で、背骨の矯正と腰痛の防止を目的にした中敷きマット。
【考案の詳細な説明】
【考案の詳細な説明】
【技術分野】
【０００１】敷布団、ベットに、仰向け寝ると、体の部位によって、重さが異なる。重さは、腰部（８）、胸部（７）、頭部（６）、下肢（９）の順になる。硬い布団、ベットでは、腰部に一番重さがかかるため、腰部の仙骨に、上に曲げの、腰椎との間に、圧力が加わり、腰痛の原因となる。又柔らかい、布団、ベットは背骨の曲がりは解消出来ない。背骨は、一本の棒のような骨ではなく、小さな骨によって構成されています。その一つ一つを椎骨といい、首の部分を頚椎（１）、胸の部分を胸椎（２）、腰の部分を腰椎（３）と読んでいます。その下に、仙骨（５）を含んだ骨盤があります。背骨は、椎骨を縦一列に積み重ねたような構造をしています。体の真横から背骨を見ると、体の前方にかかる重みをささえながら直立するのに都合がいいように、Ｓ字状のカーブを描いています。上部にある頚椎は前、真ん中にある胸椎は後ろ、そして下部にある腰椎は前の方にゆるやかにまがっている。こうした構造が、背骨をしなやかで丈夫なものにしているため、背骨全体でバネのように前後左右に動くことができるわけです。
【背景技術】
【０００２】従来、背骨の矯正に、腰椎部分へパットを使用したり、腰痛の防止に、敷布団の腰部が当たる部分に凹みをつけたものなどはあった。
【考案が解決しようとする課題】
【０００３】背骨の曲がりは、長時間前かがみの仕事、運動不足による筋肉の衰えなど、生活習慣でなったもので、一時的に解決しても、生活習慣が変わらなければ、又同じ状態になる。毎日の生活習慣の中に取り入れられるもので、背骨の矯正、腰痛防止のものを提供する。
【課題を解決するための手段】
【０００４】胸骨（２）と胸骨肋骨部分を高くした中敷きマット図３で、仰向けに寝たときに、胸椎より上の頚椎（１）は、胸椎との段差に、頭部（６）の重さで後ろに曲げられる。胸椎より下は、腰部の重さにより、胸椎との段差に、腰椎部分に曲げの力が働き、背骨の矯正をする。又腰部仙骨に体重が集中するのを、胸椎を高くする事により、重心が胸椎に移動し、仙骨にかかる曲げの圧力を軽減して、腰痛の軽減、防止をする。
【考案を実施するための最良の形態】
【０００５】本考案は中敷き布団図３、胸椎（２）と胸椎の肋骨部分図４を高くした形状のもので、仰向けに寝ると、胸椎より上の頚椎（１）は、胸椎との段差に、頭部（６）の重さで後ろに曲げられる。胸椎より下は、腰部（８）の重さにより、胸椎との段差に、腰椎部分に曲げの力が働き、背骨の矯正をする。又腰部仙骨（５）に体重が集中するのを、胸椎部分を高くする事により、重心が胸椎に移動し、仙骨にかかる曲げの圧力を軽減して、腰痛の軽減、防止をする。
【実施例】
【０００６】通常の使用は、本考案中敷きマット図３の上に布団、マットなどを敷き使用する。
【考案の効果】
【０００７】布団、ベットに寝るという、日常行為のなかで、本考案の中敷きマット図３を加える事により、リハビリという努力なしで、背骨の曲がりを矯正し、腰痛の軽減、防止の効果がある。
【図面の簡単な説明】
【０００８】
【図１】本考案の中敷きマットの上面図である。
【図２】本考案の中敷きマットの側面図である。
【図３】本考案の中敷きマットの斜視図である。
【図４】正常な形をした背骨の、側面図である。
【図５】曲がった形をした背骨の、側面図である。
【図６】本考案の中敷きマットの使用説明図である。
【図７】本考案の中敷きマットで背骨が矯正された、使用説明図である。
【符号の説明】
【０００９】１          頚椎
２          胸椎
３          腰椎
４          仙骨
５          尾骨
６          頭部
７          胸部
８          腰部
９          下肢部
１０        枕
１１        敷布団
１２        中敷きマット
【図１】
0003125191.tif 000003
【図２】
0003125191.tif 000004
【図３】
0003125191.tif 000005
【図４】
0003125191.tif 000006
【図５】
0003125191.tif 000007
【図６】
0003125191.tif 000008
【図７】
0003125191.tif 000009
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
胸椎、胸椎肋骨部分に接する部分を高くし、中敷きマットの高低差で、背骨の矯正と腰痛の軽減、防止を目的にした中敷きマット。
(57)【要約】      （修正有）【課題】天井埋め込みタイプの器具は、照明器具の取り付けボルト穴と吊り下げボルトの勘合が難しく困難であった。本考案は、天井埋め込みタイプの照明器具を取り付ける際の器具取り付けボルト穴と吊り下げボルトの勘合を容易にする照明器具取り付け位置合せ冶具を提供するものである。【解決手段】吊り下げボルト１に照明器具の取り付けボルト穴のサイズより細く、また、照明器具の埋め込み探さより長い照明器具取り付け位置合せ冶具３を取り付けることにより、器具取り付けボルト穴に誘導勘合させる。【選択図】図１
0003125193.tif 000002
【実用新案登録請求の範囲】
【請求項１】
照明器具吊り下げボルトと容易に着脱でき、しっかりとした固定が可能で容易に器具取り付けボルト穴に誘導することができる照明器具取り付け位置合せ冶具。
【請求項２】
照明器具吊り下げボルトと容易に着脱でき、しっかりとした固定が可能で吊り下げボルトを包むようなソケット部とソケット下部に磁石を配置した接合部形状。
【考案の詳細な説明】
【技術分野】
【０００１】  本考案は、天井埋め込みタイプの照明器具を取り付ける際の器具取り付けボルト穴と吊り下げボルトの勘合を容易にする照明器具取り付け位置合せ冶具に関する。
【背景技術】
【０００２】  天井埋め込みタイプの照明器具は、天井の埋め込み部に照明器具をはめ込みながら天井内部から吊り下げられたボルトに照明器具の取り付けボルト穴を合わせて固定している。
【考案の開示】
【考案の解決しようとする課題】
【０００３】  しかしながら、照明器具の取り付けボルト穴と吊り下げボルトの勘合は天井埋め込みタイプの器具の場合、天井下からの一人作業では吊り下げボルトを器具取り付けボルト穴に誘導どうすることが難しく困難であった。
【課題を解決するための手段】
【０００４】  本考案は、図１に示すように吊り下げボルトに照明器具の取り付けボルト穴のサイズより細く、また、照明器具の埋め込み深さより長い冶具を取り付けることにより、照明器具の側面と天井の隙間より目視および手による誘導で容易に器具取り付けボルト穴に誘導勘合させることができる。また、位置合せ冶具は勘合後簡単に取り外せる。これにより上記課題を解決するものである。
【考案を実施するための最良の形態】
【０００５】  図２に示すように、吊り下げボルトとの接合部は吊り下げボルトを包むようなソケットの形状をしておりソケット下部に磁石を配置し固定する。これにより、容易に着脱でき、しっかりとした固定が可能である。【０００６】吊り下げボルトとの接合部は、ねじ取付け方式などでもよいが、ねじサイズによりそれぞれ治具が必要になる為、本考案のソケット磁石固定方式がすぐれている。【０００７】また、冶具の長さは照明器具の深さ（厚み）より１０ｃｍ程度上長ければよく特に限定するものではないが、携帯等の実用性を考えると長さ３０ｃｍ程度のものが良い。
【考案の効果】
【０００８】  天井埋め込みタイプの照明器具取り付け時間が格段に短縮され、工事費用の削減が図れる。また、的確な位置合せ作業が行えるので、従来あった取り付け時に照明器具で天井を傷つける危険性が完全に回避できる。
点検口の無い既存施設では、照明器具の着脱作業が簡単に行えるので、照明器具の天井穴を点検口として使用することも可能になる。
【図面の簡単な説明】
【０００９】
【図１】照明器具取り付け位置合せ冶具を使用した取り付けイメージ図（１）
【図２】照明器具取り付け位置合せ冶具を使用した取り付けイメージ図（２）
【図３】照明器具取り付け位置合せ冶具
【符号の説明】
１・・・吊り下げボルト（Ｗ３／８  又は  Ｍ１０）
２・・・天井
３・・・照明器具取り付け位置合せ冶具
４・・・天井埋め込みタイプの照明器
５・・・固定ナット
６・・・ソケット部
７・・・磁石
【図１】
0003125193.tif 000003
【図２】
0003125193.tif 000004
【図３】
0003125193.tif 000005
【手続補正書】
【提出日】平成18年6月12日(2006.6.12)
【手続補正１】
【補正対象書類名】実用新案登録請求の範囲
【補正対象項目名】全文
【補正方法】変更
【補正の内容】
【実用新案登録請求の範囲】
【請求項１】
照明器具吊り下げボルトと容易に着脱する為の、ソケット部とソケット下部に永久磁石を配置したことを特徴とする照明器具取り付け位置合せ冶具
【請求項２】
照明器具吊り下げボルトと固定が可能なソケット部と、器具取り付けボルト穴に誘導する為の、全長約３０ｃｍの丸棒部分をもつ照明器具取り付け位置合せ冶具
(57)【要約】      （修正有）【課題】はかり、計算機、タイマーが別々だと、その都度別々の道具を使用するために動いたり，探したりしないとならない。【解決手段】はかり、計算機、タイマーが一緒になっていれば、その場で必要な計算をしたり、質量を測ったり、タイマーで時間を計ったり出来て便利である。【選択図】図１
0003125171.tif 000002
【実用新案登録請求の範囲】
【請求項１】
パン等の種を作成するとき、質量を計りながら計算を容易にするために、計算機を使用することが出来、ベンチタイム等を同時に見られるように質量計測用計りに、計算機，タイマーを一体に組み込んだもの。
【請求項２】
演算部を組み込む事で、料理ごとに設定するのでなく多様な計算が出来るようにする。
パンの分割をその時々にあわせて出来るようにタイマーをつけることで道具がひとつになる。
【考案の詳細な説明】
【技術分野】
【０００１】本考案は計算機、タイマー付き料理用はかりに関するものである。
【背景技術】
【０００２】料理をする時に計量をする為のはかり、又はパン作りの時のベーカーズパーセントの計算、時間を計る為のタイマーが別々になっているので、それぞれの道具が必要となっている。それを１つにする事によって作業がしやすくなる。
【考案の開示】
【考案が解決しようとする課題】
【０００３】料理を作る時、４人前のレシピーを２人前や３人前に」する時にははかりとは別に計算機が必要である。又沸騰後何分という場合にはタイマーが別に必要である。それを１つのはかりの中に組み入れれば１つの道具としてまかなえる。特にパン作りではとても便利になると思われる。ベーカーズパーセントやベンチタイムのセットが１つの道具で出来る為である。
【課題を解決するための手段】
【０００４】本考案ははかり本体に演算部とタイマーを組み入れる事により、はかり自体に３つの機能を持たせる事が出来る。それにより作業の効率が良くなる。
【考案の効果】
【０００５】本考案のはかりは本等に書いてあるレシピーの人数分を増減させる場合に計算機が内蔵されていれば増減の為に別に計算機を出さなくてもすむし、タイマーのセットも１つの道具でまかなえる。
【考案を実施するための最良の形態】
【０００６】本考案のはかりは四乗計算のみで良いし、又タイマーも小さいので今までの計量はかりより少し大きい位で内蔵が可能である。その為に狭い所でも道具が１つですむのは便利である。
【実施例】
【０００７】料理教室や自宅の狭いスペースでも使い易いと思われる。
【図面の簡単な説明】
【０００８】
【図１】上からの図と側面図である。
【符号の説明】
【０００９】無し。
【図１】
0003125171.tif 000003
【図２】
0003125171.tif 000004
【手続補正書】
【提出日】平成17年12月30日(2005.12.30)
【手続補正１】
【補正対象書類名】実用新案登録請求の範囲
【補正対象項目名】全文
【補正方法】変更
【補正の内容】
【実用新案登録請求の範囲】
【請求項１】
▲１▼パン等の種を作成するとき、質量を計りながら計算を容易にするために、計算機を使用することが出来、ベンチタイム等を同時に見られるように質量計測用計りに、計算機およびタイマーを一体に組み込んだ質量計測計り。
▲２▼演算部を組み込むことで、料理ごとに設定するのではなく多様な計算が出来るようにする。
パンの分割をその時々に合わせてできるようにターマーをつけることで道具がひとつになる計算機、タイマー付き料理用はかり。
【手続補正２】
【補正対象書類名】明細書
【補正対象項目名】０００４
【補正の内容】
【０００４】本考案は、はかり本体（１）に演算部となる計算機（２）とタイマー（３）を組み入れる事により、本体であるはかり自体に３つの機能をもたせることが出来る、それにより作業の効率が良くなる。
【手続補正３】
【補正対象書類名】明細書
【補正対象項目名】０００８
【補正の内容】
【０００８】  【図１】はかり本体に演算部となる計算機とタイマーを組み合わせる事により、本体であるはかり自体に３つの機能をもたせた、一実施例を説明するための図である。
【符合の説明】
１  はかり本体
２  計算機
３  タイマー
４  スイッチ
５  測定皿
【手続補正４】
【補正対象書類名】図面
【補正対象項目名】図１
【補正方法】変更
【補正の内容】
【図１】
0003125171.tif 000005
【手続補正５】
【補正対象書類名】図面
【補正対象項目名】図２
【補正方法】削除
【補正の内容】
【手続補正書】
【提出日】平成18年6月10日(2006.6.10)
【手続補正１】
【補正対象書類名】実用新案登録請求の範囲
【補正対象項目名】全文
【補正方法】変更
【補正の内容】
【実用新案登録請求の範囲】
【請求項１】
はかりにおいて、
（１）パン等の種を作成するとき、質量を計りながら計算を容易にするための計算機
（２）ベンチタイム等を同時に見られる、一体に組み込まれた計算機、タイマー、
（３）料理ごとに設定するのでなく多様な計算が出来る演算部、
以上の構成からなるタイマー付き料理用はかり。
(57)【要約】      （修正有）【課題】中級者・上級者レベルの相撲にも対応できる室内用畳一体式土俵を提供する。【解決手段】畳の内部に俵取り付け用土台を組み込み、取り外し式の土俵を取り付けて、土俵・俵に十分な耐久性を持たす。【選択図】図１
0003125176.tif 000002
【実用新案登録請求の範囲】
【請求項１】
（イ）畳に取り外し式の俵を取り付ける室内用畳一体式土俵
（ロ）畳に俵取り付用土台を組み込む
【考案の詳細な説明】
（考案の詳細な説明）
【０００１】（産業上の利用分野）
この考案は、室内用畳一体式土俵に関するものである。
【０００２】（従来の技術）
従来、キャンパスシートに俵を置いたものである。
【考案が解決しようとする課題】
【０００３】従来は次のような欠点があった。
（イ）相撲を取っている時に生じる大きな力に俵・土俵が対応できなかった為、中級者・上級者レベルの相撲競技者には不向きであった。
【０００４】（問題を解決するための手段）
本考案は、中級者・上級者レベルの相撲競技者にも対応できる室内土俵を提供するためのものである。
それを説明すれば、畳の内部に俵取り付け用土台を組み込み、取り外し式の俵を取り付けて、土俵・俵に十分な耐久性を持たす。
【０００５】（作用）
以上の構成であるため、室内での中級者・上級者レベルの相撲にも対応できる土俵を提供する事が出来る。
【０００６】（実用例）
以下、本考案の実用例について説明する。
（イ）内部に俵取り付け用土台を組み込んだ畳を所定の位置に敷く。
（ロ）取り外し式の俵にズレ止め棒を差し込んで取り付ける．
（ハ）競技を行う。
（ニ）競技終了後、俵・畳を撤去して保管する。
【考案の効果】
【０００７】本案は以上のような機能で、これを利用することによって以下のような効果が得られる。
（イ）畳が土俵として使用される為、丈夫である。
（ロ）俵ズレ止め棒の土台の穴は、ズレ止め棒がちょうど入る径の為ズレ止め棒を入れると動かないが、ズレ止め棒の穴はルーズ穴としている為、取付や製造の時に位置的に多少の誤差があっても調整が可能である。
（ハ）俵が畳に組み込まれたズレ止め防止の土台にズレ止め防止の棒でセットされる為、俵がずれにくい。
（ニ）畳と俵が分離されている為、必要に応じて設置・撤去が可能。
【図面の簡単な説明】
【図１】図面１は土俵の平面図。
【図２】図面２は俵取り付部の畳断面図。
【図３】図面３はルーズ穴平面図
【符号の説明】
１；畳
２；ズレ止め棒の土台
３；俵（取り外し式）
４；俵のズレ止め棒
５；ルーズ穴
６；ルーズ穴の蓋
【図１】
0003125176.tif 000003
【図２】
0003125176.tif 000004
【図３】
0003125176.tif 000005
【手続補正書】
【提出日】平成18年4月3日(2006.4.3)
【手続補正１】
【補正対象書類名】実用新案登録請求の範囲
【補正対象項目名】全文
【補正方法】変更
【補正の内容】
【実用新案登録請求の範囲】
【請求項１】
畳に取り外し式の俵を取り付ける室内用畳一体式土俵において、
（１）畳の中に中空管を入れて、中空管が畳の中をズレないように畳の表裏から床を傷つけない平らな鉄等で挟み込んで固定する土台を畳に組み込み、
（２）その上に断面が半円径の樹脂やゴム等で造った取り外し式の俵を置き、
（３）俵に空いている穴から畳の中空管の穴に俵がずれない様にズレ止めの棒を差し込み、
（４）足の指等を突っ込んで怪我をしない様に差し込んだ穴に蓋をして、
（５）畳の上に相撲の土俵を造る、
以上からなる畳と取り外し式の俵が一体になった室内用土俵。
【手続補正書】
【提出日】平成18年6月10日(2006.6.10)
【手続補正１】
【補正対象書類名】実用新案登録請求の範囲
【補正対象項目名】全文
【補正方法】変更
【補正の内容】
【実用新案登録請求の範囲】
【請求項１】
畳に取り外し式の俵を取り付ける室内用畳一体式土俵において、
（１）畳の中に中空管を入れて、中空管が畳の中をズレないように畳の表裏から床を傷つけない平らな鉄で挟み込んで固定する土台を畳に組み込み、
（２）その上に断面が半円径の樹脂やゴムで造った取り外し式の俵を置き、
（３）俵に空いている穴から畳の中空管の穴に俵がずれない様にズレ止めの棒を差し込み、
（４）足の指を突っ込んで怪我をしない様に差し込んだ穴に蓋をして、
（５）畳の上に相撲の土俵を造る、
以上からなる畳と取り外し式の俵が一体になった室内用土俵。
(57)【要約】      （修正有）【課題】本考案は楊枝をスチール制にして歯石、歯垢を除去する。【解決手段】本考案は楊枝をスチール制にすることにより形状が自由にでき歯の歯石、歯垢の除去が可能である。【選択図】図１
0003125179.tif 000002
【実用新案登録請求の範囲】
【請求項１】
スチールで楊枝を作製して歯の前面歯の裏面の歯石、歯垢を除去することを目的とするスチール制楊枝
【考案の詳細な説明】
【技術分野】
【０００１】本考案は歯の歯石、歯垢を除去する楊枝に関するものである
【背景技術】
【０００２】従来の楊枝は歯の前面の歯垢の除去である
【考案の開示】
【考案が解決しようとする課題】
【０００３】歯の前面、裏面の歯石、歯垢を除去する
【課題を解決するための手段】
【０００４】本考案は楊枝をスチール制にすることにより形状が自由にでき、歯の前面、裏面の歯石、歯垢の除去が可能となる
【図面の簡単な説明】
【０００５】
【図１】図は本考案の形態図
【符号の説明】
【０００６】▲１▼の部分で歯の前面の除去▲２▼の部分で歯の裏面の除去
【図１】
0003125179.tif 000003
【手続補正書】
【提出日】平成18年6月12日(2006.6.12)
【手続補正１】
【補正対象書類名】実用新案登録請求の範囲
【補正対象項目名】全文
【補正方法】変更
【補正の内容】
【実用新案登録請求の範囲】
【請求項１】
片方をフック状、中間をスプリング状、もう片方を直状とした形状を有するスチール制楊枝
(57)【要約】【課題】円盤を取り付けた地ベラを使うことにより、壁紙切断時間の短縮と壁紙切断面の仕上げ時の奇麗さを両立出来る地ベラを提供する。【解決の手段】ステンレス鋼板（１）の中央付近にステー（２）を用い、円盤（３）を取り付け、それに、持ち手の２つある木製または、プラスチック製の柄を取り付ける。また、ステンレス鋼板（１）の円盤より後方部分は、数度の角度を持たせ、最後部はアール加工を施し、両先端は尖らせる。【選択図】図１
0003125177.tif 000002
【実用新案登録請求の範囲】
【請求項１】
ステンレス鋼板（１）の中央付近にステー（２）を用い、円盤（３）をビスなどで取り付る。ステンレスの最後部はアール加工を施し、円盤より後方部分は数度の角度をつけたステンレス鋼板（１）に、持ち手が２つある木製または、プラスチック製の柄（４）をビスなどで取り付けた壁紙裁断用地ベラである。
【考案の詳細な説明】
【技術分野】
【０００１】この考案は、円盤付き、壁紙裁断用地ベラである。
【背景技術】
【０００２】従来、壁紙裁断用地ベラは、木製及びプラスチック製の持ち手が一つで両先端が尖った一枚物のステンレスの金属を取り付けた物か、一方の先端のみ尖っていて、もう一方の先端は、少し丸みがある地ベラが多かった。
【考案の開示】
【考案が解決しようとする課題】
【０００３】これは、つぎのような問題点があった。従来の壁紙裁断用地ベラは、金属部分の長さしか、カッターを当てて裁断することが出来ず、また、壁紙を長く裁断しようとすればその都度、地ベラを動かしつつ、カッターで切る為、壁紙の切り口が均一になりにくく、また、時間も裁断の長さに応じてかかっていた。【０００４】両先端が尖っている地ベラの場合、壁紙の切り始めより終わりまで、柄の持ち手の持ち方を変えずに裁断出来るが、両先端が尖っている為、少しの事で、壁紙を引っかけて傷つける事があった。【０００５】片方の先端のみ少し丸みのついた地ベラの場合、壁紙を引っかけて傷つける事は少ないが、壁紙の切り終わりまで来ると、先が丸みをおびている為、押さえがききにくく、地ベラを持ち返して尖った部分を切り終わりに当てて切る事で、持ち返す時間がかかる。
【課題を解決するための手段】
【０００６】中央付近に円盤が入るように加工したステンレス鋼板（１）にステー（２）を用い円盤（３）を取り付ける。円盤の付いたステンレス鋼板（１）に、木製またはプラスチック製の柄（４）をビスなどで  取り付ける。
【考案の効果】
【０００７】ステンレス先端部から後端部にかけて壁紙を裁断しようとすれば、円盤の回転効果により地ベラを滑らせつつ壁紙を裁断することが出来る。なお其の際、ステンレスの円盤より後方部分に数度の角度を付ける事で、壁紙をひっかけて傷つける事なく、切り始めより終わりまで、地ベラを持ち返す事なく処理出来る事で、作業時間の短縮が見込まれ、また、壁紙裁断面を均一にする事で、美観が優れる効果が見込まれる。
【考案を実施するための最良の状態】
【０００８】以下、本案の実施の形態について説明する。
（イ）中央付近に円盤が入るように加工したステンレス鋼板（１）にステー（２）を用い、円盤（３）をビスなどで取り付ける。
（ロ）ステンレス鋼板（１）の最後部にアール加工を施したうえ、両先端は、尖らせる。
（ハ）ステンレス鋼板（１）の円盤より後方部分は、数度（２〜４度が望ましい）の角度をつける。
（ニ）円盤の付いたステンレス鋼板（１）に、木製又は、プラスチック製の柄を取り付ける。本案の使用に関して、ステンレス先端より後端にかけて使用する場合、柄（４）の持つ手４ａを持って使用し、後端より先端にかけて使用する場合、柄（４）の持ち手４ｂを持って使用する事で、地ベラを持ち返す事なく作業する事が出来る。
【図面の簡単な説明】
【０００９】
【図１】本考案の側面図である。
【図２】本考案の斜視図である。
【符号の説明】
【００１０】１    ステンレス鋼板
２    ステー
３    円盤
４    柄本体
４ａ  持ち手ａ
４ｂ  持ちてｂ
【図１】
0003125177.tif 000003
【図２】
0003125177.tif 000004
【手続補正書】
【提出日】平成18年5月2日(2006.5.2)
【手続補正１】
【補正対象書類名】実用新案登録請求の範囲
【補正対象項目名】全文
【補正方法】変更
【補正の内容】
【実用新案登録請求の範囲】
【請求項１】
ステンレス鋼板（１）、ステ−（２）、円盤（３）、柄（４）からなる壁紙裁断用地ベラにおいて、ステンレス鋼板（１）の中央付近にステー（２）を用い、円盤（３）をビスなとで取り付けられていて、ステンレスの最後部はアール加工を施し、円盤より後方部分は数度の角度をつけたステンレス鋼板（１）に、持ち手が２つある木製または、プラスチック製の柄（４）をビスなどで取り付けた壁紙裁断用地ベラ。
(57)【要約】【課題】  温室シートの開閉位置を簡単な操作で確実に停止させる。【解決手段】  巻取軸上にウオームギアが配置され、ウオームギアに噛合した平ギアの中心軸上の仲介ギアの左右に、仲介ギアの回転に伴って作動する左右の送りギアが接し、各送りギアのシャフトに、リミットスイッチに近設した、筒状部を備えてなるカム板を遊嵌する。温室シート開・閉の所定位置にカム板を押し込んで凸部をリミットスイッチに密着させ、筒状部外側より螺挿した止めねじでカム板を送りギアのシャフトに固定する。【選択図】          図１
0003125172.tif 000002
【実用新案登録請求の範囲】
【請求項１】
温室シートを開閉するためのモーターと連動する巻取軸上にウオームギアが配置され、該ウオームギアに噛合した平ギアの中心軸上の仲介ギアの左右に、仲介ギアの回転に伴って作動する左右の送りギアが接し、各送りギアのシャフトに、リミットスイッチに近設した、筒状部を備えてなるカム板を遊嵌し、温室シート開・閉の所定停止時にカム板を押し込んで凸部をリミットスイッチに密着させるとともに、筒状部外側より螺挿した止めねじでカム板を送りギアのシャフトに固定する温室シート開閉位置の停止構造。
【考案の詳細な説明】
【技術分野】
【０００１】  本考案は、温室の換気をするためのシート開閉装置において、開閉時の停止位置を確実に制御する停止構造に関する。
【背景技術】
【０００２】  温室シートの開閉装置には、駆動源とともに停止用リミットスイッチを備えた開閉位置の停止を制御する機構が設けられている（例えば特許文献１参照）。
【特許文献１】特許公開２００２−３０５９９０号公報
【考案の開示】
【考案が解決しようとする課題】
【０００３】  特許文献１によると、この技術は図２のようにモーター部５０、駆動ケーシング５１、連結シャフト５２を有する装置において、制御用ケーシング５３の外部には調節桿５４を設けてあり、ケーシング５３内部には図示されていないがギア機構が組み込まれ、調節桿５４をつまんでギアのかみ合わせをずらすことにより停止位置を調節するものであるが、このような回転ギアで止める方法は、ギアとカムが一体なのでリミットスイッチを作動する時、ギアの停止位置が必ずしも正確とはならない。なぜならギアを押し込んだときに所期するギアの凹面内に先端部が合致しない場合、位置づれした状態で噛合して停止位置にその分の誤差が生ずるからである。またこの方法とは別に、カム駆動用のギアボックスの中に指を入れて調節する方法もあるが、ギアボックスが狭いため微調整がしにくゝ余分な労力がかゝるといった問題がある。【０００４】  本考案はこのような従来の問題点を解消することを目的としたもので、カムの調整を外部に設けた止めねじで容易に操作でき、開閉時の停止位置を確実に設定できる温室シート開閉位置の停止構造を提供するものである。
【課題を解決するための手段】
【０００５】  すなわち本考案は、温室シートを開閉するためのモーターと連動する巻取軸上にウオームギアが配置され、該ウオームギアに噛合した平ギアの中心軸上の仲介ギアの左右に、仲介ギアの回転に伴って作動する左右の送りギアが接し、各送りギアのシャフトに、リミットスイッチに近設した、筒状部を備えてなるカム板を遊嵌し、しかして温室シート開・閉の所定停止時にカム板を押し込んで凸部をリミットスイッチに密着させるとともに、筒状部外側より螺挿した止めねじでカム板を送りギアのシャフトに固定する構造を技術手段としている。
【考案の効果】
【０００６】  本考案では、温室シートの開・閉の停止位置を、カム板を調節してリミットスイッチに密接させるものであるが、カム板は、通常リミットスイッチとは離間しており、筒状部をつかんで押し込むことによりリミットスイッチと同一面上に並ぶ。そして所定の位置まで筒状部を回動することでカム板の凸部をリミットスイッチと程よく密接させることができ、その位置で止めねじを締めつければ難なく調節設定ができる。したがって調節桿の回転ギアを直接ギアに密接させるのと異なって位置づれすることがなく、正確な位置決めができて開・閉の停止が遺漏無く行われ、またカム板の筒状部はボックス外部に突設できるため、狭い空間に指を入れて操作するのと異なりスムースに取り扱いができる。
【考案を実施するための最良の形態】
【０００７】  図１は本考案の原理的機構の説明図であって、便宜上ギアボックスを取り除いて示している。すなわち符号１は駆動源となるモーター２０と減速機２１により正逆回転するシート開閉用の巻取軸であり、軸上にウオームギア２が配置され、このウオームギア２と噛合する平ギア３が対面して設けられている。【０００８】  平ギア３にはこれと連動する中心軸４が突設してあり、中心軸４に小形の仲介ギア５が取り付けられている。そして仲介ギア５の左右に、同形の送りギア６・６が配置され、仲介ギア５の回転に連動して回転をする。【０００９】  しかして夫々の送りギア６・６にはシャフト７が突設し、このシャフト７上にリミットスイッチ８に近設したカム板９が遊嵌されている。カム板９は筒状部１０を有し、この筒状部１０にはねじ孔１１が穿たれ、このねじ孔１１に止めねじ１２が螺挿されている。【００１０】  止めねじ１２を緩めた状態のときは当然ながら筒状部１０とともにカム板９がシャフト７に固定されていないため送りギア６と連動することはなく、リミットスイッチ８とも離間状態にある。筒状部１０と止めねじ１２は、図示しないギアボックスの外側に位置し、筒状部１０の押し込み・引き出し操作と止めねじ１２を締めたり緩めたりする操作はギアボックスの外側から行う仕組みとなっている。なお図中９ａはカム板９の凸部である。【００１１】  本考案は上記のような構成であり、温室シート（不図示）の開・閉の停止位置を所定の個所に設定するには、モーター２０を止めてギアの回転を止めた段階でカム板９がリミットスイッチ８と密接するべく調節する。遊嵌状態のカム板９は筒状部１０をつかんで押し込むとリミットスイッチ８と同一面上に並ぶ。そこで筒状部１０を回動してカム板９の凸部９ａをリミットスイッチ８に密接すればカム板９がシャフト７に固定されて正しく位置決めでき、そこで止めねじ１２を締め付ければカム板９が確実に作動する状態下に置かれ、それゆえ送りギア６の停止位置がずれることなく設定できる。カム板９は各別に設定され、いずれか一方を開に、他方を閉に設定することで温室シート開閉の制御が確実且つ容易に実行できる。
【図面の簡単な説明】
【００１２】
【図１】本考案の原理的機構を示す説明図である。
【図２】従来の開閉装置を示す説明図である。
【符号の説明】
【００１３】  １    巻取軸      ２    ウオームギア
３    平ギア      ４    中心軸
５    仲介ギア    ６    送りギア
７    シャフト    ８    リミットスイッチ
９    カム板      ９ａ  凸部
１０  筒状部      １２  止めねじ
２０  モーター
【図１】
0003125172.tif 000003
【図２】
0003125172.tif 000004
(57)【要約】      （修正有）【課題】介護やスポーツ等で利用しやすい飲料用ストローを提供する。【解決手段】飲料用ストローは、両端から中間部には多数の蛇腹を設けて一方の端部に凸溝を設け装着可能としたことが特徴である、チューブを装着する必要はない衛生面にも気をつけ埃、塵等が入らぬように蓋を設けた。コップ、ペットボトル等に合せ切って使う事ができるのが特徴。【選択図】図１
0003125121.tif 000002
【実用新案登録請求の範囲】
【請求項１】
熱可塑性樹脂よりなる飲料用ストローにおいて、可撓性の中間部を有し、一方の端部に
チューブを装着可能としたことを、特徴とする飲料用ストロー。
【請求項２】
前記チューブは、シリコン樹脂からなることを特徴とする請求項１に記載の飲料用スト
ロー。
【請求項３】
前記チューブとの接続部に凸溝を設けたことを特徴とする請求項１又は２に記載の飲料
用ストロー。
【請求項４】
前記チューブの先端部に取外し可能な蓋を設けたことを特徴とする請求項１乃至３に記
載の飲料用ストロー。
【考案の詳細な説明】
【技術分野】
【０００１】
本考案は、飲料用ストローに関する。
【背景技術】
【０００２】
従来のストローの形状、構造について説明する。
従来の飲料用ストローは長さが20cm〜30cm程度で中間部に、可撓部を有する形状をし
ている（例えば特許文献１参照）。
【特許文献１】実開昭４７−１８６７号公報
【考案の開示】
【考案が解決しようとする課題】
【０００３】
従来の飲料用ストローは、コップ、ペットボトル等に、使用するとき、ベットの上で体
を動かす事が困難な方にはとても難しいものがある。スポーツなどについて（例えば剣道
の場合、面をつけたままでの稽古熱気で綿タオルまでも汗で凄いものがある）休息が短く
その上、面をつけたままなので水分を補給することができず、部屋の蒸し暑さ、熱気等で
倒れることもあり、水分の補給は必要不可欠である。  野球等においても、捕手は、マス
クを使用する為、容易に水分を補給することが困難である。
しかし、従来の飲料用ストローは蛇腹から吸い口までが短くベットの上で体を動かすこ
とが困難な人や剣道の面を付けた人には利用しずらいものがある。そこで本考案は介護や
スポーツ等で利用しやすい飲料用ストローを提供することを目的とする。
【課題を解決するための手段】
【０００４】
本考案に係る飲料用ストローは、熱可塑性樹脂よりなる飲料用ストローにおいて、可撓
性の中間部を有し、一方の端部にチューブを装着可能としたことを特徴とする。また本考
案に係る飲料用ストローは、前記チューブがシリコン樹脂から形成されていてもよいさら
に、前記チューブとの接続部に凸溝を設けてもよい。さらにまた、前記チューブの先端部
に取外し可能な蓋を設けてもよい。
【考案の効果】
【０００５】
お年寄りや、介護を必要とする方など、ねたままでも手の届く範囲ないに置いておけば
容器を動かすことなく、ご自身で飲むことができる。又、口元にあたってもいたいことは
ないように、シリコン樹脂を使用したものである。スポーツなどについても、現在は水分
を途中で補給すること勧めている。例えば剣道のようなスポーツは面を取らずに少しの休
息しかない、面を取らずに水分を補給するには飲料用ストローが必要で、それにより潤い
又元気に稽古、試合に励むことができる。
【考案を実施するための最良の形態】
【０００６】
ベットの上でも、剣道の面を付けたままでも飲める、長さが調節できる。一体化形成飲  
料用ストローは物に対して合わすことができる。
【０００７】
両端から、中間部には（ポリプロピレン）（シリコンゴム）等でまた中間部は多数の蛇
腹状の可撓部を形成する。（図示せず）
【０００８】
これらの問題点を解決（ポリプルピレン）（Ａ）（Ａ１）（シリコンゴム）（Ｄ）素材
にて形成される。両端からの中間部には多数の蛇腹（Ｂ）を設けて、一方の端部に凸溝（
Ｃ）を設け装着可能としたことが特徴である。必ずチューブ（シリコンゴム）（Ｄ）を装
着する必要はない。衛生面にも気をつけ、ほこり、ゴミ等が入らないことを防ぐのに蓋（
Ｆ）を設けた。蓋にもベルトをつなぎ先端には輪を設けてストロー（Ｅ）にて脱着ができ
る。
【図面の簡単な説明】
【０００９】
【図１】正面図
【図２】直線図
【図３】断面図
【符号の説明】
【００１０】
Ａ    直線状  （ポリプルピレン）
Ｂ    蛇腹状  （ポリプルピレン）
Ａ１  直線状  （ポリプルピレン）
Ｃ    凹溝    （ポルプルピレン）
Ｄ    直線状    （シリコンゴム）
Ｅ    取付け板（ポリプルピレン）
Ｆ    蓋      （ポリプルピレン）
【図１】
0003125121.tif 000003
【図２】
0003125121.tif 000004
【図３】
0003125121.tif 000005
(57)【要約】【課題】白菜を１/４〜１/８カットのサイズでセイロに載せて乾燥しようとすると、乾燥時間が長くなり、乾燥のむらが大きいので、もっと短時間で乾燥ムラがないよう乾燥したい。【解決手段】金属の棒を材料とし、長さを乾燥に使用されるラックのアングル間の長さより数mm短くし、内側の幅を50±5mmとした矩形状の竿枠を使用する。【選択図】図1
0003125441.tif 000002
【実用新案登録請求の範囲】
【請求項１】
金属の棒を材料とし、長さを乾燥に使用されるラックのアングル間の長さより数mm短くし、内側の幅を50±5mmとした矩形状の竿枠
【考案の詳細な説明】
【技術分野】
【０００１】
本考案は、白菜類を乾燥する為に用いる器具に関する。
【背景技術】
【０００２】
白菜は、わが国における葉菜栽培の中でも産出量が多い種類であり、家庭で調理されるほか、漬物としての需要量も多く、また、乾燥して用いられる場合もある。絶乾状態に乾燥される場合と生干し程度に乾燥される場合とあり、最近生干し野菜の効用が認識されるにつれて生干し需要も増えている。生干しの場合は、通常１/４〜１/８程度に割って乾燥されるのが普通である。
一方、漬物については、塩漬けして脱水し、塩抜きして調味液につける方法が多く取られている。
【０００３】
この方法によれば、塩漬け塩抜きの手間がかかり、廃水処理に問題があり、製品は塩分が多く健康に良くないので、この工程を要しない漬け方が提案されてきた。
しかし、これらの提案された方法は、特許第３０２３６３３号を始め総べて、調味液の浸透性の向上のみに着目し、脱水の効用を無視している点で、保存性もよくなく、漬物らしさも欠けていた。
当社はさきに、特願２００４−３６６９５３で、２０〜３０℃の乾燥用空気流で漬物材料を脱水した後調味液につける方法を提案した。
【０００４】
【特許文献１】特許第３０２３６３３号
【特許文献２】特願２００４−３６６９５３  ここにおいて、生干し野菜用だけでなく、漬物用にも白菜の生干しが用いられるようになり、白菜の生干しニ−ズが急速に増加してきている。
【考案の開示】
【考案が解決しようとする課題】
【０００５】
しかし、白菜の四つ割りないし八つ割りを、そのまま通常の葉菜の大量乾燥方法と同様にセイロに載せ、これを台車に重ねて載せ、乾燥室に入れて乾燥用水平空気流で乾燥しようとすると時間がかかりすぎ、乾燥ムラが大きかった。その対策として、白菜の軸部分を強くねじって、くっついて重なり合っている葉をほぐし、空気があたりやすくして乾燥すると、乾燥時間は短縮され乾燥ムラも減少したが、たが、手間がかかりすぎて実用的でなかった。
【０００６】
四つ割にした白菜を二つに分けて竿に掛け、その竿を台車などに固定して乾燥室に入れ、乾燥用水平空気流で乾燥すると、かなり改善されたが、なお、白菜の軸部の中央部分の乾燥が遅れ、均一な乾燥が出来ていないことが判明した。
本考案は、白菜の四つ割りないし八つ割りをあまり手間をかけず短時間で、均一に乾燥する為の器具を提供しようとするものである。
【課題を解決するための手段】
【０００７】
図1のような、金属の棒を材料とし、長さを乾燥に使用されるラックのアングル間の長さより数mm短くし、内側の幅を50±5mmの矩形状にした竿枠を使用する。これに白菜を１/４〜１/８に割ったものについて図3のように葉先側を三つに分け、中央部分を竿枠の間に通して垂らして掛け、両端部分を竿枠の外側に垂らして掛け、これを竿枠と長さが合ったラックのアングル間に掛け乾燥室に入れ乾燥用水平流の空気に当て乾燥する。
【考案の効果】
【０００８】
本考案の竿枠は、四つ割ないし八つ割りの白菜を3つに分けて掛ける作業を効率的に行う事が出来、かつラックのアングル間に容易に安定的に掛けることが出来る。
本器具を用いて四つ割ないし八つ割りの白菜を乾燥したところ、乾燥時間、乾燥ムラともに著しく改良された。これを調味液に漬けた結果、長年漬物の製造販売に従事した人たちに満足の行く白菜の漬物が出来るようになった。
【考案を実施するための最良の形態】
【０００９】
白菜の外皮を剥ぎ、洗浄し、４〜８等分する。何等分するかは、１切れ当り４５０〜５００ｇ程度を目安に決める。カット後更に洗浄し、よく水を切る。
カットされた白菜を葉先側をほぼ３等分し、平行に固定された竿枠に、中央部を竿枠の間に、両端部を竿枠の外側に垂らす。竿枠をラックにセットする。
１竿枠にカット白菜を４〜５株、１ラック当り上下４段、平面に５列計２０個の竿枠をセットした。
【００１０】
このラックを乾燥室に入れて、２３℃で１４時間乾燥し、ほぼ目標の乾燥度（初期重量に対する重量比で７０％）に至り、実用上差し支えるほどの乾燥むらは見られなかった。
【産業上の利用可能性】
【００１１】
高齢化社会の進展に伴い、健康の維持に関する社会の関心が一段と高まっており、野菜摂取の増加や、減塩食の重要性が認識されている。本発明による白菜の生干しや漬物は、手軽に多量の野菜を少ない塩分のもと摂取できるもので、これらのニ−ズに応えたものであり、時機を得た考案と考えられる。
【図面の簡単な説明】
【００１２】
【図１】竿枠の平面図である。
【図２】左側は、竿枠の正面図である。右側は、Aの断面図である。
【図３】竿枠に白菜を三つに分けて掛けた状態の図である。          左側は正面図であり、右側は、その側面図である。
【図４】白菜を掛けた竿枠をラックのアングルに掛けた状態の図である。          左側は正面図であり、右側は、その側面図である。
【符号の説明】
【００１３】
１  白菜
２  竿枠
３  アングル
４  ラック
【図１】
0003125441.tif 000003
【図２】
0003125441.tif 000004
【図３】
0003125441.tif 000005
【図４】
0003125441.tif 000006